(57)【要約】  本発明は、自動車両の２つの部品（１０、１２）を組み立てるために設計された易破断性装着装置（２０）であって、一方の部品（１２）に形成された溝に摺動式に挿入されるように設計された固定ラグと、他方の部品（１０）に固定されるように設計された組付部とを備える、易破断性装着装置（２０）に関する。【選択図】図１
2022502312.tif 000002
【特許請求の範囲】
【請求項１】
自動車両の２つの部品（１０、１２）を組み立てるために設計された易破断性装着装置（２０）であって、一方の前記部品（１２）に形成された溝（１４）に摺動式に挿入されるように設計された固定ラグ（２２）と、他方の前記部品（１０）に固定されるように設計された結合部（２４）とを備える、易破断性装着装置（２０）。
【請求項２】
前記結合部（２４）が、他方の前記部品（１０）に存在する対応する穴（１１）に挿入するように設計された位置決めスタッド（２６）と、前記装着装置（２０）を前記他方の部品（１０）に結合するスクリューと協働するように設計されたねじ穴（２８）とを備える、請求項１に記載の易破断性装着装置（２０）。
【請求項３】
前記固定ラグ（２２）が、制御パネル（１２）に向かって垂直に延出し、前記溝（１４）に形成された相補的形状のストッパ（１４ａ）と協働するように設計されたストッパ（２２ａ）を備える、請求項１または２に記載の易破断性装着装置（２０）。
【請求項４】
ダッシュボード（１０）と、少なくとも１つの、請求項１から３のいずれか一項に記載の易破断性装着装置（２０）を用いて前記ダッシュボード（１０）に装着された制御パネル（１２）とを備える自動車両。
【請求項５】
前記易破断性装着装置（２０）が、前記制御パネル（１２）の中央を通る垂直面に配置される、請求項４に記載の自動車両。
【請求項６】
前記ダッシュボード（１０）と前記制御パネル（１２）とが、２つの前記易破断性装着装置（２０）によって結合される、請求項４に記載の自動車両。
【請求項７】
前記２つの易破断性装着装置（２０）が、前記制御パネル（１２）の上端部に位置する、請求項６に記載の自動車両。
【請求項８】
前記２つの易破断性装着装置（２０）が、前記制御パネル（１２）の中央を通る垂直面に対して対称である、請求項６または７に記載の自動車両。
【請求項９】
前記装着装置（２０）の前記固定ラグ（２２）と協働する前記溝（１４）が、前記制御パネル（１２）の上面（１２ａ）に配置される、請求項４から８のいずれか一項に記載の自動車両。
【発明の詳細な説明】
【技術分野】
【０００１】
本発明は、自動車両に関し、具体的には、たとえば車両のダッシュボードに装着する必要のある空調制御ユニット、マルチメディア、または他のあらゆる制御パネルなど、車両における組立要素用の装着装置に関する。
【背景技術】
【０００２】
一般に、制御ユニットは、一体式固定ラグによってダッシュボードに装着される。衝撃を受けると、固定ラグが破断し、制御ユニット全体を交換しなければならない。
【発明の概要】
【０００３】
したがって、本発明の目的は、上記の欠点を克服し、制御ユニットの保全コストを削減することである。
【０００４】
本発明の具体的な目的は、破断式に構成され、自動車両の少なくとも２つの部品を組み立てるように設計された易破断性装着装置を提案することである。
【０００５】
上記易破断性装着装置は、一方の部品に形成された溝に滑り込むように設計された固定ラグと、他方の部品に固定されるように設計された結合部とを備える。
【０００６】
本明細書で説明される装着装置が寄与して、衝突した場合、装着装置のみが破断され得、それによって、車両の部品全体を交換する必要性が回避される。
【０００７】
有利には、結合部は、他方の部品に存在する対応する穴に挿入するように設計された位置決めスタッドと、装着装置を他方の部品に結合するスクリューと協働するように設計されたねじ穴とを備える。
【０００８】
固定ラグは、制御パネルに向かって垂直に延出し、溝に配置された相補的形状のストッパと協働するように設計されたストッパを備え得る。
【０００９】
別の態様によれば、本発明は、ダッシュボードと、少なくとも１つの前述の易破断性装着装置を用いて上記ダッシュボードに装着された制御パネルとを備える自動車両に関する。
【００１０】
上記易破断性装着装置は、制御パネルの中央を通る垂直面に配置してもよい。
【００１１】
変形形態として、ダッシュボードと制御パネルとは、破断式に構成された２つの易破断性装着装置によって結合される。
【００１２】
上記２つの易破断性装着装置は、たとえば、制御パネルの上端部に位置する。
【００１３】
２つの易破断性装着装置は、制御パネルの中央を通る垂直面に対して対称であり得る。
【００１４】
たとえば、装着装置の固定ラグと協働する溝は、制御パネルの上面に配置される。
【００１５】
本発明は、単に非限定的例と見なされ、添付図面によって例示される多数の実施形態の詳細な説明を読むことによって、より良く理解されるであろう。
【図面の簡単な説明】
【００１６】
【図１】本発明による２つの装着装置を用いて自動車両のダッシュボードに装着された制御パネルの前視図である。
【図２】制御パネルに結合される図１による装着装置の前視図である。
【図３】制御パネルの上面の部分斜視図である。
【図４】１つの装着装置の斜視図である。
【図５】制御パネルに結合された図１による装着装置の斜視断面図である。
【発明を実施するための形態】
【００１７】
図１に示されるように、自動車両のダッシュボードの一部分が、全体参照符号１０によって指定されている。
【００１８】
たとえば空調システムを制御する、制御パネルまたは制御ユニット１２が、破断式に構成され制御パネル１２の上端部に位置する２つの易破断性装着装置２０を用いて上記ダッシュボード１０に装着されている。変形形態として、１つのだけの易破断性装着装置であってもよい。２つの装着装置２０は、制御パネル１２の中央を通る垂直面に対して対称である。
【００１９】
図２および４に詳細に示されるように、各装着装置２０は、図２および３に示される制御パネル１２の上面１２ａに形成されたＴ字形溝１４と協働するように設計された固定ラグ２２を備える。
【００２０】
固定ラグ２２は、装着装置２０をダッシュボード１０に固定する結合部２４を有する上部に達する。
【００２１】
上記結合部２４は、溝１４と実質的に平行な方向に延出し、ダッシュボードに形成された対応する穴１１に挿入されるように設計された位置決めスタッド２６を備える。
【００２２】
上記結合部２４は、さらに、装着装置２０をダッシュボード１０に固定するスクリュー（図示せず）と協働するように設計されたねじ穴２８を備える。
【００２３】
図５に詳細に示されるように、各固定ラグ２２は、制御パネル１２に向かって垂直に延出し、溝１４に形成された相補的形状のストッパ１４ａと協働するように設計されたストッパ２２ａを備える。
【００２４】
各装着装置２０は、プラスチック材から製作される。
【００２５】
制御パネル１２は、以下のようにしてダッシュボード１０に装着される。
【００２６】
固定ラグ２２を制御パネル１２の対応する溝１４に滑り込ませることによって、各装着装置２０を制御パネル１２に装着する。
【００２７】
次いで、各装着装置２０の位置決めラグ２６を、ダッシュボード１０の対応する穴１１に挿入し、スクリュー（図示せず）を装着装置２０のねじ穴２８にねじ込む。
【００２８】
本明細書で説明した装着装置が寄与して、衝突した場合、装着装置のみが破断し得、それによって、制御パネル全体を交換する必要が回避される。
【図１】
2022502312.tif 000003
【図２】
2022502312.tif 000004
【図３】
2022502312.tif 000005
【図４】
2022502312.tif 000006
【図５】
2022502312.tif 000007
【国際調査報告】
2022502312.tif 000008
2022502312.tif 000009
2022502312.tif 000010
2022502312.tif 000011